(57)【要約】【課題】ＥＰＢ電線に被嵌する筒体に密着して折れ曲がるように取付けられ、ＥＰＢ電線を外れないように保持することができ、屈曲試験時にＥＰＢ電線に断線が発生することがないＥＰＢ電線固定用ブラケットおよびワイヤハーネスを提供すること。【解決手段】締結部２１と、ＥＰＢ電線１０に被嵌された筒体１１を抱持する電線抱持部２２と、を備えたＥＰＢ電線固定用ブラケット２０であって、電線抱持部は、締結部に連なって筒体の外径Ｄ１に対応する第１の曲率半径Ｒ１で筒体の外周面に当接される第１の湾曲部２２ａと、第１の湾曲部に連なって第１の曲率半径よりも大きい第２の曲率半径Ｒ２で筒体の外周面に向き合う第２の湾曲部２２ｂと、第２の湾曲部に連なって締結部２１に向き合う対向部２２ｃと、を有し、第２の湾曲部には、第１の湾曲部側から対向部側へ向けて延びる開口部２２ｅが形成された構成である。【選択図】図２
2017208953.tif 000002
【特許請求の範囲】
【請求項１】
一端部が車体パネルに締結される平板状の締結部と、前記締結部の他端部に連なってＵ字状に屈曲された電線抱持部と、を備え、ＥＰＢ電線の所定個所に被嵌された筒体を前記電線抱持部により抱持する金属製のＥＰＢ電線固定用ブラケットであって、
前記電線抱持部は、
一端部が前記締結部の他端部に連なって前記筒体の外径に対応する第１の曲率半径で前記筒体の外周面に当接するように屈曲された１／４円筒状の第１の湾曲部と、
一端部が前記第１の湾曲部の他端部に連なって第１の曲率半径よりも大きい第２の曲率半径で前記筒体の外周面に向き合うように屈曲された１／４円筒状の第２の湾曲部と、
一端部が前記第２の湾曲部の他端部に連なって前記締結部に向き合うように延びる対向部と、を有し、
前記第２の湾曲部には、前記第１の湾曲部側から前記対向部側へ向けて延びる開口部が、１つまたは電線延長方向に複数並んで形成され、
前記開口部は、前記第１の湾曲部側から前記対向部側に向けて電線延長方向の寸法が次第に大きくなるように形成されていることを特徴とするＥＰＢ電線固定用ブラケット。
【請求項２】
所要個所に筒体が被嵌されたＥＰＢ電線と、
請求項１に記載のＥＰＢ電線固定用ブラケットと、を備え、
前記筒体は、前記ＥＰＢ電線固定用ブラケットの前記電線抱持部に収容され、
前記ＥＰＢ電線固定用ブラケットは、前記締結部と前記対向部との間隔が前記筒体の外径よりも小さくなり、かつ前記第２の湾曲部が前記筒体の外周面に密着するように電線径方向に加締められ、前記電線抱持部により前記筒体が抱持されていることを特徴とするワイヤハーネス。
【発明の詳細な説明】
【技術分野】
【０００１】
本発明は、ＥＰＢ電線固定用ブラケットおよびワイヤハーネスに関する。
【背景技術】
【０００２】
従来、自動車の電動パーキングブレーキに配索される太物ＥＰＢ電線（以下では、ＥＰＢ電線という。）にエラストマーよりなる筒体を被嵌し、この筒体を金属製のクリップによって車体パネルにボルトで固定することが知られている（例えば、特許文献１参照）。
【０００３】
他方、特許文献としては存在しないが、従来において、図５、図６に示すような金属製のＥＰＢ電線固定用ブラケット４０を用いて、ＥＰＢ電線１０を図示しない車体パネルに固定することが行われている。
【０００４】
ＥＰＢ電線固定用ブラケット４０は、一端部が車体パネルに締結される締結部４１と、締結部４１の他端部に連なってＵ字状に屈曲された電線抱持部４２と、を備えており、ＥＰＢ電線１０の所定個所に被嵌されたエラストマーよりなる筒体１１を電線抱持部４２で抱持するようになっている。
【０００５】
電線抱持部４２は、一端部が締結部４１の他端部に連なって筒体１１の外径Ｄ１に対応する第１の曲率半径Ｒ１で筒体１１の外周面に当接するように屈曲された１／４円筒状の第１の湾曲部４２ａと、一端部が第１の湾曲部４２ａの他端部に連なって第１の曲率半径Ｒ１よりも大きい第２の曲率半径Ｒ２で筒体１１の外周面に向き合うように屈曲された１／４円筒状の第２の湾曲部４２ｂと、一端部が第２の湾曲部４２ｂの他端部に連なって締結部４１に向き合うように延びる対向部４２ｃと、を有している。
【０００６】
ＥＰＢ電線１０は、複数の被覆電線１０ａがシース１０ｂの内部に通されたものであり、シース１０ｂの外周面の所定個所が筒体１１により全周にわたって被覆されている。
【０００７】
ＥＰＢ電線固定用ブラケット４０は、ＥＰＢ電線１０に被嵌された筒体１１が電線抱持部４２に収容された状態で、締結部４１と対向部４２ｃとの間隔Ｌ２が筒体１１の当初の外径Ｄ１よりも小さくなるように電線径方向に加締められ、筒体１１およびＥＰＢ電線１０を保持している。これにより、ＥＰＢ電線１０と、筒体１１と、ＥＰＢ電線固定用ブラケット４０とで、ワイヤハーネスＷ２が構成される。
【先行技術文献】
【特許文献】
【０００８】
【特許文献１】特開２００４−２２２３９３号公報
【発明の概要】
【発明が解決しようとする課題】
【０００９】
しかしながら、従来のＥＰＢ電線固定用ブラケット４０は、上述したように加締められるときに、第２の湾曲部４２ｂが筒体１１の外周面に密着するようには曲がらず、加締力の作用方向の間隔が小さく、加締力の作用方向と直交する方向の間隔が大きくなるように曲がり、第１の湾曲部４２ａおよび第２の湾曲部４２ｂの大半と筒体１１の外周面との間に空隙Ｓが形成される。
【００１０】
このため、ＥＰＢ電線固定用ブラケット４０は、電線抱持部４２が筒体１１の外周面に十分に密着した状態にならないので、筒体１１を確実に保持することができず、筒体１１が外れ易いという問題があった。
【００１１】
また、従来のＥＰＢ電線固定用ブラケット４０は、第１の湾曲部４２ａおよび第２の湾曲部４２ｂの大半と筒体１１の外周面との間に空隙Ｓが形成され、第２の湾曲部４２ｂと対向部４２ｃとの境界部Ａと、締結部４１と第１の湾曲部４２ａとの境界部Ｂとの二点で、筒体１１およびＥＰＢ電線１０が径方向に圧縮される状態になるため、屈曲試験時にＥＰＢ電線１０に断線が発生し易いという問題があった。
【００１２】
本発明は、上述した問題に鑑みてなされたもので、ＥＰＢ電線に被嵌する筒体に密着して折れ曲がるように取付けられ、ＥＰＢ電線を外れないように保持することができ、屈曲試験時にＥＰＢ電線に断線が発生することがないＥＰＢ電線固定用ブラケットおよびワイヤハーネスを提供することを目的としている。
【課題を解決するための手段】
【００１３】
本発明に係るＥＰＢ電線固定用ブラケットは、上記課題を解決するため、一端部が車体パネルに締結される平板状の締結部と、前記締結部の他端部に連なってＵ字状に屈曲された電線抱持部と、を備え、ＥＰＢ電線の所定個所に被嵌された筒体を前記電線抱持部により抱持する金属製のＥＰＢ電線固定用ブラケットであって、前記電線抱持部は、一端部が前記締結部の他端部に連なって前記筒体の外径に対応する第１の曲率半径で前記筒体の外周面に当接するように屈曲された１／４円筒状の第１の湾曲部と、一端部が前記第１の湾曲部の他端部に連なって第１の曲率半径よりも大きい第２の曲率半径で前記筒体の外周面に向き合うように屈曲された１／４円筒状の第２の湾曲部と、一端部が前記第２の湾曲部の他端部に連なって前記締結部に向き合うように延びる対向部と、を有し、前記第２の湾曲部には、前記第１の湾曲部側から前記対向部側へ向けて延びる開口部が、１つまたは電線延長方向に複数並んで形成され、前記開口部は、前記第１の湾曲部側から前記対向部側に向けて電線延長方向の寸法が次第に大きくなるように形成された構成である。
【００１４】
この構成によれば、本発明に係るＥＰＢ電線固定用ブラケットは、第２の湾曲部に開口部が形成され、かつ開口部が第１の湾曲部側から対向部側に向けて電線延長方向の寸法が次第に大きくなるように形成されているため、開口部が形成されていない他の部分に比べて第２の湾曲部の剛性が対向部側に近付くほど低くなり、ＥＰＢ電線に被嵌された筒体が電線抱持部に収容された状態で、締結部と対向部との間隔が筒体の当初の外径よりも小さくなるように電線径方向に加締められると、第２の湾曲部が全般にわたって筒体の外周面に密着するように曲げられる。
【００１５】
よって、本発明に係るＥＰＢ電線固定用ブラケットは、第１の湾曲部および第２の湾曲部と筒体の外周面との間に空隙が形成されることがなく、電線抱持部が筒体の外周面に十分に密着した状態になり、筒体およびＥＰＢ電線を確実に保持することができ、筒体およびＥＰＢ電線が外れない。
【００１６】
また、本発明に係るＥＰＢ電線固定用ブラケットは、電線抱持部が筒体の外周面に十分に密着した状態になるため、筒体およびＥＰＢ電線が二点で径方向に圧縮された状態にならず、屈曲試験時にＥＰＢ電線に断線が発生しない。
【００１７】
本発明に係るワイヤハーネスは、上記課題を解決するため、所要個所に筒体が被嵌されたＥＰＢ電線と、前述したＥＰＢ電線固定用ブラケットと、を備え、前記筒体は、前記ＥＰＢ電線固定用ブラケットの前記電線抱持部に収容され、前記ＥＰＢ電線固定用ブラケットは、前記締結部と前記対向部との間隔が前記筒体の外径よりも小さくなり、かつ前記第２の湾曲部が前記筒体の外周面に密着するように電線径方向に加締められ、前記電線抱持部により前記筒体が抱持されている構成である。
【００１８】
この構成によれば、本発明に係るワイヤハーネスは、ＥＰＢ電線に被嵌する筒体に密着して折れ曲がるように取付けられ、ＥＰＢ電線を外れないように保持することができ、屈曲試験時にＥＰＢ電線に断線が発生することがない。すなわち、ＥＰＢ電線固定用ブラケットの第２の湾曲部が筒体の外周面に密着して、ＥＰＢ電線固定用ブラケットの第１の湾曲部および第２の湾曲部と筒体の外周面との間に空隙が形成されないため、ＥＰＢ電線固定用ブラケットの電線抱持部が筒体の外周面に十分に密着した状態になり、筒体およびＥＰＢ電線を確実に保持することができ、ＥＰＢ電線固定用ブラケットから筒体およびＥＰＢ電線が外れない。
【００１９】
また、本発明に係るワイヤハーネスは、ＥＰＢ電線固定用ブラケットの電線抱持部が筒体の外周面に十分に密着した状態になるため、筒体およびＥＰＢ電線が二点で径方向に圧縮された状態にならず、屈曲試験時にＥＰＢ電線に断線が発生しない。
【発明の効果】
【００２０】
本発明によれば、ＥＰＢ電線に被嵌する筒体に密着して折れ曲がるように取付けられ、ＥＰＢ電線を外れないように保持することができ、屈曲試験時にＥＰＢ電線に断線が発生することがないＥＰＢ電線固定用ブラケットおよびワイヤハーネスを提供することができる。
【図面の簡単な説明】
【００２１】
【図１】本発明の実施の形態に係るワイヤハーネスの断面図である。
【図２】本発明の実施の形態に係るワイヤハーネスに用いられるＥＰＢ電線固定用ブラケットおよびＥＰＢ電線の断面図である。
【図３】本発明の実施の形態に係るワイヤハーネスに用いられるＥＰＢ電線固定用ブラケットの部分展開図である。
【図４】本発明の実施の形態に係るワイヤハーネスの斜視図である。
【図５】従来のワイヤハーネスに用いられるＥＰＢ電線固定用ブラケットおよびＥＰＢ電線の断面図である。
【図６】従来のワイヤハーネスの断面図である。
【発明を実施するための形態】
【００２２】
以下、本発明の実施の形態に係るＥＰＢ電線固定用ブラケットおよびワイヤハーネスについて図面を参照して説明する。
【００２３】
図１〜図４に示すように、本実施の形態に係るワイヤハーネスＷ１は、ＥＰＢ電線１０と、筒体１１と、ＥＰＢ電線固定用ブラケット２０と、を備えている。
【００２４】
ＥＰＢ電線１０は、複数のＥＰＢ電線１０ａがシース１０ｂの内部に通されたものである。筒体１１は、エラストマーにより形成され、シース１０ｂの外周面の所定個所を周方向に被覆している。
【００２５】
ＥＰＢ電線固定用ブラケット２０は、一端部が車体パネル５０にボルト５１によって締結される平板状の締結部２１と、締結部２１の他端部に連なってＵ字状に屈曲された電線抱持部２２と、を備えおり、ＥＰＢ電線１０の所定個所に被嵌されたエラストマーよりなる筒体１１を電線抱持部２２で抱持するようになっている。
【００２６】
締結部２１は、一端部に部材厚み方向に貫通するボルト通し孔２１ａを有し、車体パネル５０に形成されたねじ孔５０ａにボルト通し孔２１ａを合わせ、ボルト通し孔２１ａに通されたボルト５１がねじ孔５０ａに締結されるようになっている。
【００２７】
締結部２１は、一端部に電線抱持部２２とは反対側に向けて突出する回り止め爪２１ｂを有し、車体パネル５０に形成された回り止め孔５０ｂに回り止め爪２１ｂが通されることにより、ボルト５１を中心とする回動が規制され、向きが特定されるようになっている。
【００２８】
締結部２１は、ＥＰＢ電線１０の所定個所に被嵌された筒体１１が電線抱持部２２に抱持された後に、ボルト５１によって車体パネル５０に締結される。
【００２９】
電線抱持部２２は、一端部が締結部２１の他端部に連なって筒体１１の外径Ｄ１に対応する第１の曲率半径Ｒ１で筒体１１の外周面に当接するように屈曲された１／４円筒状の第１の湾曲部２２ａと、一端部が第１の湾曲部２２ａの他端部に連なって第１の曲率半径Ｒ１よりも大きい第２の曲率半径Ｒ２で筒体１１の外周面に向き合うように屈曲された１／４円筒状の第２の湾曲部２２ｂと、一端部が第２の湾曲部２２ｂの他端部に連なって締結部２１に向き合うように延びる対向部２２ｃと、対向部２２ｃの他端部に連なって締結部２１とは反対側へ向けて突出する突出部２２ｄと、を有している。突出部２２ｄは、ＥＰＢ電線１０を電線抱持部２２に案内するためのものである。
【００３０】
第２の湾曲部２２ｂには、部材厚み方向に貫通して、第１の湾曲部２２ａ側から対向部２２ｃ側へ向けて延びる長孔状の開口部２２ｅが、電線延長方向に２つ並んで形成されている。開口部２２ｅは、第１の湾曲部２２ａ側から対向部２２ｃ側に向けて電線延長方向の寸法が次第に大きくなる台形状に形成されている。
【００３１】
ＥＰＢ電線固定用ブラケット２０は、金属板をプレス加工によって所定平面形状に打ち抜いたブランク材を、折り曲げ加工によってＪ字状に屈曲させた金属塑性加工品である。金属板の材料には、鋼、ステンレス鋼、アルミニウム合金等の金属を適用することができる。
【００３２】
ＥＰＢ電線固定用ブラケット２０は、ＥＰＢ電線１０に被嵌された筒体１１が電線抱持部２２に収容された状態で、締結部２１と対向部２２ｃとの間隔Ｌ１が筒体１１の当初の外径Ｄ１よりも小さくなるように電線径方向に加締められ、筒体１１およびＥＰＢ電線１０を保持している。これにより、ＥＰＢ電線１０と、筒体１１と、ＥＰＢ電線固定用ブラケット２０とで、ワイヤハーネスＷ１が構成される。
【００３３】
本実施の形態に係るＥＰＢ電線固定用ブラケット２０は、第２の湾曲部２２ｂに開口部２２ｅが形成され、かつ開口部２２ｅが第１の湾曲部２２ａ側から対向部２２ｃ側に向けて電線延長方向の寸法が次第に大きくなるよう台形状に形成されているため、開口部が形成されていない他の部分に比べて第２の湾曲部２２ｂの剛性が対向部２２ｃ側に近付くほど低くなり、ＥＰＢ電線１０に被嵌された筒体１１が電線抱持部２２に収容された状態で、締結部２１と対向部２１ｃとの間隔Ｌ１が筒体１１の当初の外径Ｄ１よりも小さくなるように電線径方向に加締められると、第２の湾曲部２２ｂが全般にわたって筒体１１の外周面に密着するように曲げられる。
【００３４】
よって、本実施の形態に係るＥＰＢ電線固定用ブラケット２０は、ＥＰＢ電線１０に被嵌する筒体１１に密着して折れ曲がるように取付けられ、ＥＰＢ電線１０を外れないように保持することができ、屈曲試験時にＥＰＢ電線１０に断線が発生することがない。すなわち、第１の湾曲部２２ａおよび第２の湾曲部２２ｂと筒体１１の外周面との間に空隙が形成されることがなく、電線抱持部２２が筒体１１の外周面に十分に密着した状態になり、筒体１１およびＥＰＢ電線１０を確実に保持することができ、筒体１１およびＥＰＢ電線１０が外れない。
【００３５】
また、本実施の形態に係るＥＰＢ電線固定用ブラケット２０は、電線抱持部２２が筒体１１の外周面に十分に密着した状態になるため、筒体１１およびＥＰＢ電線１０が二点で径方向に圧縮された状態にならず、屈曲試験時にＥＰＢ電線１０に断線が発生しない。
【００３６】
第２の湾曲部２２ｂの剛性は、開口部２２ｅの数や形状によって決定され、具体的には、第２の湾曲部２２ｂに対する開口部２２ｅの割合に比例して剛性が増減される。すなわち、開口部２２ｅの電線延長方向の寸法が第１の湾曲部２２ａ側から対向部２２ｃ側に向けて次第に大きくなるように形成されている第２の湾曲部２２ｂでは、第１の湾曲部２２ａ側から対向部２２ｃ側へ向けて次第に剛性が低減される。
【００３７】
したがって、本実施の形態に係るＥＰＢ電線固定用ブラケット２０は、第２の湾曲部２２ｂの剛性を、ＥＰＢ電線固定用ブラケット２０を形成している金属板の材質や厚み、ＥＰＢ電線１０に被覆されている筒体１１の外径Ｄ１に応じて設定することができる。
【００３８】
本実施の形態に係るワイヤハーネスＷ１は、ＥＰＢ電線固定用ブラケット２０の第２の湾曲部２２ｂが筒体１１の外周面に密着して、ＥＰＢ電線固定用ブラケット２０の第１の湾曲部２２ａおよび第２の湾曲部２２ｂと筒体１の外周面との間に空隙が形成されないため、ＥＰＢ電線固定用ブラケット２０の電線抱持部２２が筒体１１の外周面に十分に密着した状態になり、筒体１１およびＥＰＢ電線１０を確実に保持することができ、ＥＰＢ電線固定用ブラケット２０から筒体１１およびＥＰＢ電線１０が外れない。
【００３９】
また、本実施の形態に係るワイヤハーネスＷ１は、ＥＰＢ電線固定用ブラケット２０の電線抱持部２２が筒体１１の外周面に十分に密着した状態になるため、筒体１およびＥＰＢ電線１０が二点で径方向に圧縮された状態にならず、屈曲試験時にＥＰＢ電線１０に断線が発生しない。
【００４０】
以上説明したように、本発明によれば、ＥＰＢ電線に被嵌する筒体に密着して折れ曲がるように取付けられ、ＥＰＢ電線を外れないように保持することができ、屈曲試験時にＥＰＢ電線に断線が発生することがないという効果を有し、ＥＰＢ電線固定用ブラケットおよびワイヤハーネスの全般に有用である。
【符号の説明】
【００４１】
Ｗ１  ワイヤハーネス
１０  ＥＰＢ電線
１１  筒体
２０  ＥＰＢ電線固定用ブラケット
２１  締結部
２２  電線抱持部
２２ａ  第１の湾曲部
２２ｂ  第２の湾曲部
２２ｃ  対向部
２２ｅ  開口部
５０  車体パネル
Ｄ１  外径
Ｒ１  第１の曲率半径
Ｒ２  第２の曲率半径
Ｌ１  間隔
【図１】
2017208953.tif 000003
【図２】
2017208953.tif 000004
【図３】
2017208953.tif 000005
【図４】
2017208953.tif 000006
【図５】
2017208953.tif 000007
【図６】
2017208953.tif 000008